(57)【特許請求の範囲】
【請求項１】
断面形状が正方形となされると共にその両端部に中心部よりそれぞれ回転軸が突出され且つ正方形を形成する各四面はそれぞれ所定の標識の一部を構成する標識面となされ、その標識面の集合により所定の標識が現出されるようになされた回転可能な複数の分割標識体と、分割標識体の両端部にそれぞれ並行に相対向して配置され、その一端がそれぞれスプリングに連結された二本のワイヤー部材と、分割標識体の全てを同時に回転させる駆動装置とを有し、各分割標識体は、相互に回転可能な間隔を開けて回転軸がワイヤー部材間に軸支されると共に、通常時はスプリングの弾力によりスプリング側に引き寄せられてその相互の標識面が隣接され、スプリングに抗してワイヤー部材を引張することにより、各分割標識体の相互の間隔が回転可能な間隔に拡開され且つ駆動装置からの回転力が各分割標識体に伝達されるようになされたことを特徴とする可変標識。
【請求項２】
断面形状が正方形となされると共にその両端部に中心部よりそれぞれ回転軸が突出され且つ正方形を形成する各四面はそれぞれ所定の標識の一部を構成する標識面となされ、その標識面の集合により所定の標識が現出されるようになされた回転可能な複数の分割標識体と、分割標識体の全てを同時に回転させる駆動装置とを有し、各分割標識体は、一の分割標識体が１／４回転すると１回転するカム板と、そのカム板の回転を水平動に変えるクランクシャフトとが相互に回転軸に取付けられて連結されると共に、通常時は各分割標識体の相互の標識面が隣接され、回転にともなって、各分割標識体の相互の間隔がクランクシャフトの水平動により回転可能な間隔に拡開されるようになされたことを特徴とする可変標識。
【発明の詳細な説明】
【０００１】
【発明の属する技術分野】
本発明は、主として道路標識に用いられ、あるいは看板や広告標識に用いられる標識に関し、特に標識内容を四通りに変更することのできる可変標識に関するものである。
【０００２】
【従来の技術】
従来この種の可変標識としては、断面形状が二等辺三角形となされると共に、その等辺を形成する二面がそれぞれ所定の標識の一部を構成する標識面となされた分割標識体を複数個使用し、その分割標識体の標識面の集合により所定の標識が現出されるようになされると共に、分割標識体を同時に回転させて全分割標識体の二つの標識面のいずれかを正面に向かせることにより、二通りの情報を現出させることのできる、所謂２可変標識があり、また断面形状が正三角形となされ、その各三面がそれぞれ所定の標識の一部を構成する標識面となされた分割標識体を複数個使用し、三通りの標識を現出させることのできる、所謂３可変標識がある。
【０００３】
【発明が解決しようとする課題】
しかしながら前記の如き２可変標識および３可変標識は、いずれも断面形状が三角形の分割標識体が使用されているために、各分割標識体の相互の間隔を拡げなくても、各標識面を隣接させた状態で回転させることができるものであるが、この構造を、断面形状が正方形となされた分割標識体を使用するようにした、所謂４可変標識にまで拡大してそのまま適用することはできない。すなわち断面形状が正方形であるために、対向する角部を結ぶ対角線の長さが正方形の一辺である標識面の長さより長いために、各分割標識体の標識面を隣接させた状態では、角部同志が当たって回転させることはできないためである。従って従来の可変標識の構造では一般には３可変式までが限度であり、４可変式になると標識内容の変更の作業が複雑となり、また構造的にも複雑なものになっていた。
【０００４】
そこで本発明は、上記の如き問題点を解消し、標識内容の変更が容易であり、また簡単な構造にて四通りの標識を現出させることのできる４可変式の可変標識を提供せんとするものである。
【０００５】
【課題を解決するための手段】
上記目的を達成するために、本発明は次のような構成としている。
すなわちこの発明に係る請求項１記載の可変標識は、断面形状が正方形となされると共にその両端部に中心部よりそれぞれ回転軸が突出され且つ正方形を形成する各四面はそれぞれ所定の標識の一部を構成する標識面となされ、その標識面の集合により所定の標識が現出されるようになされた回転可能な複数の分割標識体と、分割標識体の両端部にそれぞれ並行に相対向して配置され、その一端がそれぞれスプリングに連結された二本のワイヤー部材と、分割標識体の全てを同時に回転させる駆動装置とを有し、各分割標識体は、相互に回転可能な間隔を開けて回転軸がワイヤー部材間に軸支されると共に、通常時はスプリングの弾力によりスプリング側に引き寄せられてその相互の標識面が隣接され、スプリングに抗してワイヤー部材を引張することにより、各分割標識体の相互の間隔が回転可能な間隔に拡開され且つ駆動装置からの回転力が各分割標識体に伝達されるようになされたことを特徴とするものである。
【０００６】
前記請求項１記載の発明によれば、標識内容を変更させる場合は、ワイヤー部材を引張して分割標識体の相互の間隔を回転可能な間隔に拡開すると共に、所望の標識内容となる標識面が正面に向くように、分割標識体を駆動装置により回転させ、その後ワイヤー部材を緩めれば、スプリングの弾力により各分割標識体はスプリング側に引き寄せられてその相互の標識面が隣接され、所望の標識が現出される。分割標識体は断面形状が正方形となされ、その各四面にそれぞれ所定の標識の一部を構成する標識面が設けられているので、かようにして、この分割標識体を接離、回転させることにより四通りの標識を適宜現出させることができる。
【０００７】
またこの発明に係る請求項２記載の可変標識は、断面形状が正方形となされると共にその両端部に中心部よりそれぞれ回転軸が突出され且つ正方形を形成する各四面はそれぞれ所定の標識の一部を構成する標識面となされ、その標識面の集合により所定の標識が現出されるようになされた回転可能な複数の分割標識体と、分割標識体の全てを同時に回転させる駆動装置とを有し、各分割標識体は、一の分割標識体が１／４回転すると１回転するカム板と、そのカム板の回転を水平動に変えるクランクシャフトとが相互に回転軸に取付けられて連結されると共に、通常時は各分割標識体の相互の標識面が隣接され、回転にともなって、各分割標識体の相互の間隔がクランクシャフトの水平動により回転可能な間隔に拡開されるようになされたことを特徴とするものである。
【０００８】
前記請求項２記載の発明によれば、標識内容を変更させる場合は、駆動装置により分割標識体を回転させると、回転にともなって、分割標識体の標識面が正面に現れる１／４回転毎に１回転するカム板により水平動するクランクシャフトの水平動により、分割標識体の相互の間隔が回転可能な間隔に拡開されるので、分割標識体は相互に当たることなく回転される。従って所望の標識内容となる標識面が正面に向くように、分割標識体を駆動装置により回転させれば、所望の標識が現出される。分割標識体は断面形状が正方形となされ、その各四面にそれぞれ所定の標識の一部を構成する標識面が設けられているので、かようにして、この分割標識体を接離、回転させることにより四通りの標識を適宜現出させることができるのは、前記請求項１記載の発明と同様である。
【０００９】
【発明の実施の形態】
次に、本発明の実施の形態について図面を参照し、具体的に説明する。
まず、図１は請求項１に記載された本発明の実施の一形態において、分割標識体の回転時の状態を示す構成図、図２は図１の形態において、分割標識体を隣接させた状態を示す構成図、図３（イ）は図１の形態における移動分割標識体の斜視図、（ロ）は固定分割標識体の斜視図である。
【００１０】
図面において、１は複数からなる柱状の分割標識体であって、断面形状が正方形となされ、その正方形を形成する四面は、それぞれ所定の標識の一部を構成する標識面１１となされ、この全ての分割標識体１が列設されると共にその標識面１１の集合により、所定の標識が現出される。
【００１１】
分割標識体１は、両端部に中心部よりそれぞれ回転軸１２が突設され、この回転軸１２を中心として回転ができるようになされ、また外側端に配置される分割標識体１（以下、固定分割標識体１Ａとする）以外の分割標識体１（以下、移動分割標識体１Ｂとする）の回転軸１２には、平歯車１３が取付けられている。
【００１２】
２はワイヤー部材であり、このワイヤー部材２は二本設けられ、並行に相対向されて分割標識体１の両端部にそれぞれが配置されている。さらにワイヤー部材２は、固定分割標識体１Ａ側の一端がそれぞれスプリング３に連結されると共に、他の端部は束ねられて外部に露出されて操作部２１となされ、その操作部２１からワイヤー部材２を引張することができるようになされている。またワイヤー部材２は長手方向に沿って移動分割標識体１Ｂの数の軸受け２２がそれぞれ取付けられ、この軸受け２２に移動分割標識体１Ｂの回転軸１２がそれぞれ回転可能に軸支されている。なお固定分割標識体１Ａの回転軸１２の一端は、フレーム４に取付けられた軸受け２２に回転可能に軸支され、左右に移動しないようになされている。前記軸受け２２の間隔は、ワイヤー部材２をぴんと引張した状態では、分割標識体１が回転する際に、相互の角部１４が相互に当接しない間隔に設定されている。そしてワイヤー部材２を引張しない状態では、図２の如くスプリング３の弾力によりワイヤー部材２はスプリング３の方向に引き寄せられており、そのワイヤー部材２に軸支された移動分割標識体１Ｂは固定分割標識体１Ａ側に引き寄せられて移動しており、各分割標識体１の相互の標識面１１が隙間無く隣接されている。次にスプリング３に抗してワイヤー部材２を引張すると、図１の如く移動分割標識体１Ｂが移動し、分割標識体１の相互の間隔が回転可能な間隔に拡開される。
【００１３】
５は駆動装置であり、分割標識体１の回転軸１２と並行な方向に、操作シャフト５１と、移動分割標識体１Ｂ毎に駆動軸５２とが設けられ、また駆動軸５２には駆動歯車５３が設けられ、さらに操作シャフト５１と駆動軸５２と固定分割標識体１Ａの回転軸１２とにはそれぞれプーリー５４とそのプーリー５４に架設された駆動ベルト５５または駆動チェーンがそれぞれ設けられたものである。前記駆動軸５２は、ワイヤー部材２をぴんと引張した状態において、ほぼ各移動分割標識体１Ｂが位置する所に設けられ、ワイヤー部材２をぴんと引張すれば、各移動分割標識体１Ｂの回転軸１２に取付けられた平歯車１３が駆動軸５２の駆動歯車５３に噛み合うようになされている。
【００１４】
かかる構成による本発明の使用方法を説明する。
まずワイヤー部材２を引張しない通常時には、図２の如くワイヤー部材２はスプリング３の弾力によりスプリング３の方向に引き寄せられ、そのワイヤー部材２に軸支された移動分割標識体１Ｂも固定分割標識体１Ａ側に引き寄せられて移動しており、各分割標識体１の相互の標識面１１が隙間無く隣接され、所定の標識が現出される。
【００１５】
次に標識内容を変更させる場合は、まずワイヤー部材２を引張する。ワイヤー部材２を引張することにより、図１の如く移動分割標識体１Ｂは移動されて相互の間隔は回転可能な間隔に拡開される。移動分割標識体１Ｂが回転可能な間隔に拡開されると、各移動分割標識体１の回転軸１２に取付けられた平歯車１３が駆動装置５の駆動軸５２の駆動歯車５３に噛み合った状態となる。
【００１６】
次に操作シャフト５１を回転させれば、その回転は駆動ベルト５５及びプーリー５４に伝達され、その回転力は、移動分割標識体１Ｂについては駆動軸５２から、固定分割標識体１Ａについては直接駆動ベルト５５から、それぞれ回転軸１２に伝達され、全ての移動分割標識体１Ｂ及び固定分割標識体１Ａが同時に回転される。そして所望の標識内容となる標識面１１が正面に向けば、操作シャフト５１の回転を停止すると共に、ワイヤー部材２を緩めてやれば、スプリング３の弾力により各分割標識体１はスプリング３側に引き寄せられてその相互の標識面１１が隙間なく隣接され、所望の標識が現出される。
【００１７】
なお図４は、上記形態の設置例を示す正面図であり、分割標識体１の周囲に取付けられたフレーム４が路面等に立設された支柱４１に支持され、支柱４１の下部には操作部２１及び操作シャフト５１を外部より操作できるように操作ボックス４２が設けられているものである。
【００１８】
次に請求項２に記載された本発明に係る可変標識について説明する。
すなわち図５は請求項２に記載された本発明の実施の一形態において、分割標識体を隣接させた状態を示す構成図、図６は図１の形態において、分割標識体の回転時の状態を示す構成図である。
【００１９】
請求項２に記載された本発明に係る可変標識は、前記請求項１に記載された可変標識が、ワイヤー部材２とスプリング３とにより、分割標識体１を相互に接離させて、各分割標識体１を回転させているのに対して、これをカム板６とクランクシャフト７により行っている点において異なっている。
【００２０】
すなわち一の分割標識体１（以下、固定分割標識体１Ａとする）の回転軸１２には、内蔵された歯車機構により固定分割標識体１Ａが１／４回転すると１回転するカム板６が取付けられ、またその固定分割標識体１Ａの両側に配置した分割標識体１（以下、移動分割標識体１Ｂとする）の回転軸１２には、前記カム板６の回転を水平動に変えるクランクシャフト７が取付けられて連結されている。そして固定分割標識体１Ａの回転により回転するカム板６により、クランクシャフト７が水平動することにより、移動分割標識体１Ｂが水平動し、固定分割標識体１Ａに対して接離される。なおカム板６とクランクシャフト７との関係は、固定分割標識体１Ａ及び移動分割標識体１Ｂの角部１４同志が相対向する回転位置で、固定分割標識体１Ａに対して移動分割標識体１Ｂが最も離れるように設定されており、固定分割標識体１Ａ及び移動分割標識体１Ｂの回転時に角部１４同志が当接しないようになされている。
【００２１】
また駆動装置５は、各分割標識体１の回転軸１２と同方向及び直交方向に配置した操作シャフト５１と、この操作シャフト５１及び各回転軸１２にそれぞれ取付けられて互いに噛み合わされた交差軸歯車５６とから構成されている。
【００２２】
かかる構成による本発明可変標識において、標識内容を変更させる場合は、操作シャフト５１を回転させるだけでよい。すなわち操作シャフト５１を回転させると、その回転力が交差軸歯車５６を介して回転軸１２に伝達され、各分割標識体１は回転を始める。回転にともなって、固定分割標識体１Ａの回転により回転したカム板６と、そのカム板６により水平動するクランクシャフト７とにより、固定分割標識体１Ａに対して移動分割標識体１Ｂが離れるように動き、固定分割標識体１Ａと移動分割標識体１Ｂとの間隔が回転可能な間隔に拡開されるので、分割標識体１は相互に当たることなく回転される。従って所望の標識内容となる標識面１１が正面に向くように、分割標識体１を駆動装置５により回転させるだけで、所望の標識を現出させることができる。
【００２３】
【発明の効果】
請求項１記載の発明によれば、分割標識体は断面形状が正方形となされ、その各四面にそれぞれ所定の標識の一部を構成する標識面が設けられているので、この分割標識体を接離、回転させることにより四通りの標識を適宜現出させることができる。また標識内容を変更させる場合は、ワイヤー部材を引張して分割標識体の相互の間隔を回転可能な間隔に拡開すると共に、所望の標識内容となる標識面が正面に向くように、分割標識体を駆動装置により回転させればよいので、標識内容を変更する作業が容易であり、また構造も単純である。
【００２４】
また請求項２記載の発明によれば、分割標識体は断面形状が正方形となされ、その各四面にそれぞれ所定の標識の一部を構成する標識面が設けられているので、この分割標識体を回転させることにより四通りの標識を適宜現出させることができる。標識内容を変更させる場合は、カム板とクランクシャフトとにより、各分割標識体の間隔が回転にともなって回転可能な間隔に拡開されるので、所望の標識内容となる標識面が正面に向くように分割標識体を駆動装置により回転させるだけでよいので、標識内容を変更する作業が容易であり、また構造も単純である。
【図面の簡単な説明】
【図１】請求項１に記載された本発明の実施の一形態において、分割標識体の回転時の状態を示す構成図である。
【図２】図１の形態において、分割標識体を隣接させた状態を示す構成図である。
【図３】（イ）は図１の形態における移動分割標識体の斜視図、（ロ）は固定分割標識体の斜視図である。
【図４】図１の形態の設置例を示す正面図である。
【図５】請求項２に記載された本発明の実施の一形態において、分割標識体を隣接させた状態を示す構成図である。
【図６】図１の形態において、分割標識体の回転時の状態を示す構成図である。
【符号の説明】
１    分割標識体
１Ａ  固定分割標識体
１Ｂ  移動分割標識体
１１  標識面
１２  回転軸
１３  平歯車
１４  角部
２    ワイヤー部材
２２  操作部
２３  軸受け
３    スプリング
４    フレーム
４１  支柱
４２  操作ボックス
５    駆動装置
５１  操作シャフト
５２  駆動軸
５３  駆動歯車
５４  プーリー
５５  駆動ベルト
５６  交差軸歯車
６    カム板
７    クランクシャフト
【図１】
0003549697.tif 000002
【図２】
0003549697.tif 000003
【図３】
0003549697.tif 000004
【図４】
0003549697.tif 000005
【図５】
0003549697.tif 000006
【図６】
0003549697.tif 000007